(57)【要約】【課題】  画像形成処理時に先行して媒体を供給する場合でも効率的に媒体を利用する画像形成装置を提供する。【解決手段】  本発明は画像形成装置に関する。そして、本発明の画像形成装置は、供給された媒体に画像形成を行う画像形成部と、複数種類の媒体を収納し、いずれかの種類の媒体を画像形成部に供給する媒体供給部と、画像形成部及び媒体供給部を制御して媒体に画像形成処理を実行させるものであって、画像形成部を用いて画像形成処理を行う際に、画像形成部に供給済の媒体が存在する場合、供給済の媒体と、今回の画像形成処理で用いる媒体との比較に基づく判定結果に応じて、媒体供給部及び画像形成部の制御内容を切り替える制御部とを有することを特徴とする。【選択図】      図１
2017032659.tif 000002
【特許請求の範囲】
【請求項１】
供給された媒体に画像形成を行う画像形成部と、
複数種類の媒体を収納し、いずれかの種類の媒体を前記画像形成部に供給する媒体供給部と、
前記画像形成部及び前記媒体供給部を制御して媒体に画像形成処理を実行させるものであって、前記画像形成部を用いて画像形成処理を行う際に、前記画像形成部に供給済の媒体が存在する場合、前記供給済の媒体と、今回の画像形成処理で用いる媒体との比較に基づく判定結果に応じて、前記媒体供給部及び前記画像形成部の制御内容を切り替える制御部とを有する
ことを特徴とする画像形成装置。
【請求項２】
前記制御部は、前記供給済の媒体と、今回の画像形成処理で用いる媒体とが一致すると判定した場合に、前記供給済の媒体を利用した画像形成処理を行うように前記媒体供給部及び前記画像形成部を制御することを特徴とする請求項１に記載の画像形成装置。
【請求項３】
前記制御部は、前記供給済の媒体と、今回の画像形成処理で用いる媒体とが一致しないと判定した場合に、前記画像形成部に供給済の媒体を排出させてから画像形成処理を行うように前記媒体供給部及び前記画像形成部を制御することを特徴とする請求項２に記載の画像形成装置。
【請求項４】
前記画像形成部で画像形成する媒体に係る情報を含む画像形成条件情報を記録する画像形成条件記録部と、
前記画像形成部に供給済の媒体に係る媒体情報を記録する媒体情報記録部とをさらに備え、
前記制御部は、前記画像形成条件記録部に記録された画像形成条件情報と、前記媒体情報記録部に記録された媒体情報とを用いて、前記供給済の媒体と、今回の画像形成処理で用いる媒体とが一致するか否かを判定する
ことを特徴とする請求項２又は３に記載の画像形成装置。
【請求項５】
原稿を読み込んで画像データを生成する読み取り部をさらに備え、
前記制御部は、前記読み取り部が原稿を読み込んで生成した画像データを取得し、前記画像形成部に前記画像データに基づく画像を画像形成させるコピー処理の制御を行うことが可能である
ことを特徴とする請求項１〜４のいずれかに記載の画像形成装置。
【請求項６】
前記制御部は、コピー処理を中断した後コピー処理を再開する際に、前記画像形成部に供給済の媒体があった場合、前記供給済の媒体と、今回のコピー処理で用いる媒体とが一致すると判定した場合に、前記供給済の媒体を利用した画像形成処理を行うように前記媒体供給部及び前記画像形成部を制御することを特徴とする請求項５に記載の画像形成装置。
【請求項７】
前記制御部は、コピー処理を終了する際に、前記画像形成部に供給済の媒体があった場合、当該媒体を前記画像形成部から排出させる処理を実行することを特徴とする請求項６に記載の画像形成装置。
【請求項８】
前記制御部は、コピー処理を終了する際に、前記画像形成部に供給済の媒体があった場合でも、当該供給済の媒体を前記画像形成部から排出させないことを特徴とする請求項６に記載の画像形成装置。
【請求項９】
前記制御部は、コピー処理を終了する際に、前記画像形成部に供給済の媒体があった場合、前記供給済の媒体と次の画像形成処理で用いる媒体とが一致すると判定した場合に、次の画像形成処理で前記供給済の媒体を利用するように前記媒体供給部及び前記画像形成部を制御することを特徴とする請求項８に記載の画像形成装置。
【発明の詳細な説明】
【技術分野】
【０００１】
本発明は、画像形成装置に関し、例えば、複数種類の媒体を収納し、いずれかの種類の媒体を用いて印刷する複合機に適用し得る。
【背景技術】
【０００２】
従来の画像処理装置では、画像を形成するために必要な画像形成機構の印刷準備動作を行うとともに用紙（媒体）を複数の給紙トレイ（用紙を積層したトレイ）のいずれかから分離して給紙し、その用紙上に画像を印刷（画像形成）する。
【０００３】
しかしながら、従来の画像形成装置では、用紙を給紙トレイから画像形成機構まで給紙（搬送）する時間が画像形成機構の印刷準備動作の時間よりも長くなる場合があった。そのため、従来の画像形成装置では、画像形成機構を必要以上に作動させてしまう場合、画像形成機構の寿命が短くなってしまったり、印刷要求受付けから印刷が完了（印刷された用紙を排出）するまでの時間が長くなってしまう等の問題があった。
【０００４】
このような問題に対応する従来技術として特許文献１の記載技術がある。特許文献１に記載された画像形成装置では、給紙トレイからの給紙時間と画像形成時間に基づいて、給紙トレイから先行して用紙を給紙することで、画像形成機構の長寿命化や印刷要求から印刷完了までの時間短縮等を図っている。
【先行技術文献】
【特許文献】
【０００５】
【特許文献１】特開２０１１−０５９４６５号公報
【発明の概要】
【発明が解決しようとする課題】
【０００６】
しかしながら、従来の画像形成装置では、給紙トレイから用紙（媒体）を先行給紙してしまった後、ユーザによる印刷キャンセル（例えば、コピー処理のキャンセル）や原稿の読取エラー（例えば、原稿読取時の原稿ジャム等によるエラー）等が発生した場合、先行給紙した用紙が無駄になってしまうという問題があった。
【０００７】
そのため、画像形成処理時に先行して媒体を供給する場合でも効率的に媒体を利用することができる画像形成装置が望まれている。
【課題を解決するための手段】
【０００８】
本発明の画像形成装置は、（１）供給された媒体に画像形成を行う画像形成部と、（２）複数種類の媒体を収納し、いずれかの種類の媒体を前記画像形成部に供給する媒体供給部と、（３）前記画像形成部及び前記媒体供給部を制御して媒体に画像形成処理を実行させるものであって、前記画像形成部を用いて画像形成処理を行う際に、前記画像形成部に供給済の媒体が存在する場合、前記供給済の媒体と、今回の画像形成処理で用いる媒体との比較に基づく判定結果に応じて、前記媒体供給部及び前記画像形成部の制御内容を切り替える制御部とを有することを特徴とする。
【発明の効果】
【０００９】
本発明によれば、画像形成処理時に先行して媒体を供給する場合でも効率的に媒体を利用する画像形成装置を提供することができる。
【図面の簡単な説明】
【００１０】
【図１】第１の実施形態に係る画像形成装置の機能的構成について示したブロック図である。
【図２】第１の実施形態に係る画像形成装置の外観を示す斜視図である。
【図３】第１の実施形態に係る画像形成装置の概略断面図である。
【図４】第１の実施形態に係る読み取り部及びパネル部の斜視図である。
【図５】第１の実施形態に係るコピー機能に対応する画像形成条件情報の構成例について示した説明図である。
【図６】第１の実施形態に係る給紙媒体情報の構成例について示した説明図である。
【図７】第１の実施形態に係る画像形成装置の判定方式の例について示した説明図である。
【図８】第１の実施形態に係る画像形成処理でコピー処理が行われる際の動作について示したフローチャートである。
【図９】第１の実施形態に係る画像形成装置で用紙が給紙（先行給紙）される際の動作について示したフローチャートである。
【図１０】第１の実施形態に係る画像形成装置でコピー処理の終了に際して、画像形成がキャンセルされる際の動作について示したフローチャートである。
【図１１】第１の実施形態に係る画像形成装置で、画像形成処理が実行される際の動作について示したフローチャートである。
【図１２】第２の実施形態に係る画像形成装置に関係する各装置の接続構成について示したブロック図である。
【図１３】第２の実施形態に係るプリント機能に対応する画像形成条件情報の構成例について示した説明図である。
【図１４】第２の実施形態に係る画像形成装置で行われるコピー処理の動作の例について示したフローチャートである。
【図１５】第２の実施形態に係る画像形成装置で行われるプリント処理の動作について示したフローチャートである。
【発明を実施するための形態】
【００１１】
（Ａ）第１の実施形態
以下、本発明による画像形成装置の第１の実施形態を、図面を参照しながら詳述する。
【００１２】
（Ａ−１）第１の実施形態の構成
図２は、第１の実施形態に係る画像形成装置１の外観の斜視図である。図３は、第１の実施形態に係る画像形成装置１の概略断面図である。
【００１３】
図２、図３に示す通り、画像形成装置１は、画像形成部１０、読み取り部２０、及びパネル部３０を有している。また、図２、図３に示す通り、画像形成装置１は、用紙（媒体）を積層して画像形成部１０に給紙するための３つの給紙トレイ１０１、１０３、１０５を有している。図３に示す通り、給紙トレイ１０１、１０３、１０５は、それぞれサイズの異なる用紙（媒体）Ｍ１、Ｍ２、Ｍ３を格納して給紙するように構成されている。なお、画像形成装置１が備える給紙トレイの数は限定されないものである。また、給紙トレイ１０１、１０３、１０５は、それぞれ格納している用紙を繰り出すための給紙ローラ１０２、１０４、１０６を備えている。
【００１４】
この実施形態では、給紙トレイ１０１、１０３、１０５を含む構成により、媒体供給部が実現されている。
【００１５】
そして、画像形成部１０には、トナー像を現像して、給紙トレイ１０１、１０３、１０５から供給された用紙に現像したトナー像を転写する画像転写部１０８と、用紙にトナー像を定着させる定着器１０９とが配置されている。また、画像形成部１０は、給紙ローラ１０２、１０４、１０６からの給紙状態を監視するための給紙センサ１２０と、給紙された用紙のスキューを補正するレジストローラ１０７と、画像転写部１０８による画像形成開始タイミングを監視する書込みセンサ１２１と、定着器１０９により定着済の用紙を排出する排出ローラ１１０、１１１と、用紙の排出状態を監視する排出センサ１２２と、排出した用紙をスタックする排出トレイ１１２とを有している。
【００１６】
図４は、読み取り部２０とパネル部３０の部分のみを図示した斜視図である。
【００１７】
図４に示すように、読み取り部２０は、原稿を載置するための原稿台を構成するコンタクトガラス２０７と、コンタクトガラス２０７に載置された原稿を走査して読取る読み取りセンサ２０３と、コンタクトガラス２０７に載置された原稿を上方向から押圧する（覆う）トップカバー２０６と、原稿を積層してコンタクトガラス２０７に供給するオート・ドキュメント・フィーダ（以下「ＡＤＦ」とも呼ぶ）２０８とを有している。
【００１８】
また図４に示すように、パネル部３０の上面には、タッチパネルディスプレイ３０１、及びハードキー部３０２が配置されている。タッチパネルディスプレイ３０１は、ユーザへの情報出力やユーザからの操作受付を行うための操作画面（ＧＵＩ画面）を表示するための装置である。ハードキー部３０２は、ユーザからの操作を受付けるための複数のハードキーにより構成されている。なお、パネル部３０を構成するユーザインタフェースは上述の構成に限定されず、種々のユーザインタフェースを適用することができる。
【００１９】
次に、画像形成装置１の制御系の構成について図１を用いて説明する。
【００２０】
画像形成装置１には、画像形成装置１全体を制御するメイン制御部１３０と、画像形成部１０を制御する画像形成制御部１００と、読み取り部２０を制御する読み取り制御部２００と、パネル部３０を制御するパネル制御部３００とを有している。
【００２１】
この実施形態では、少なくともメイン制御部１３０及び画像形成制御部１００を含む構成により画像形成制御部１００及び各給紙トレイ１０１、１０３、１０５を含む構成要素を制御する制御部が実現されている。
【００２２】
図１に示すように、メイン制御部１３０は、画像形成制御部１００が、画像形成制御部１００及び給紙トレイ１０１、１０３、１０５を制御する際の条件に係る情報（以下、「画像形成条件情報」と呼ぶ）を記録（管理）する画像形成条件記録部１３１を有している。画像形成条件情報の詳細については後述する。
【００２３】
図１に示すように、読み取り部２０は、制御系／駆動系の構成要素として、さらに、読み取りモータ２０４及び画像データ記録部２０５を有している。読み取りモータ２０４は、読み取りセンサ２０３を駆動（走査）させるための駆動源として機能するモータである。画像データ記録部２０５は読み取りセンサ２０３が読取った画像データを一時的に保留するデータ記録媒体である。そして、図１に示すように、読み取り制御部２００には、読み取りモータ２０４、読み取りセンサ２０３、及び画像データ記録部２０５が接続されている。読み取り制御部２００は、読み取りセンサ２０３により読取られた画像データ（原稿を読取った画像データ）を、画像データ記録部２０５に記録させる処理等を行う。
【００２４】
図１に示すように、画像形成部１０は、制御系／駆動系の構成要素として、さらに、給紙モータ１４１、給紙媒体情報記録部１４２、及び搬送モータ１５１を有している。給紙モータ１４１は、給紙ローラ１０２、１０４、１０６を駆動するための駆動源として機能するモータである。搬送モータ１５１は、画像形成部１０内部で用紙を搬送する各ローラ（レジストローラ１０７、排出ローラ１１０、１１１等）を駆動する駆動源として機能するモータである。媒体情報記録部としての給紙媒体情報記録部１４２は、媒体給紙処理部１４０に給紙された用紙の情報（以下、「給紙媒体情報」又は「媒体情報」と呼ぶ）を記録（管理）するものである。給紙媒体情報の詳細については後述する。
【００２５】
さらに、図１に示すように、画像形成制御部１００は、給紙に係る制御処理を行う媒体給紙処理部１４０と、給紙された用紙に印刷する制御処理を行う画像形成処理部１５０を有している。
【００２６】
図１に示すように、媒体給紙処理部１４０は、給紙モータ１４１、給紙センサ１２０、及び給紙媒体情報記録部１４２を用いて画像形成部１０に用紙を給紙する制御処理を行う。例えば、媒体給紙処理部１４０は、給紙トレイ１０１、１０３、１０５のいずれかから用紙を繰り出させて所定の位置（印刷準備位置）まで給紙し、給紙した用紙の給紙媒体情報を給紙媒体情報記録部１４２に記録する。
【００２７】
図１に示すように、画像形成処理部１５０は、搬送モータ１５１、書込みセンサ１２１、排出センサ１２２、画像転写部１０８、及び定着器１０９を用いて、画像形成部１０に給紙された用紙に印刷をさせる制御を行う。例えば、画像形成処理部１５０は、搬送モータ１５１、書込みセンサ１２１、排出センサ１２２、画像転写部１０８、及び定着器１０９を制御して、媒体給紙処理部１４０により給紙された用紙に対して、画像の転写および、定着処理をさせて排出トレイ１１２へ排紙させる。
【００２８】
次に、画像形成条件記録部１３１で記録される画像形成条件の構成例について、図５を用いて説明する。
【００２９】
画像形成条件記録部１３１では、コピー機能、ＦＡＸ機能、プリンタ機能等の各機能に対応する画像形成条件を記憶するようにしてもよい。なお、画像形成条件記録部１３１に記憶する画像形成条件情報の構成は、機能ごとに異なる内容としてもよい。
【００３０】
図５に示す画像形成条件では、画像形成条件（印刷条件）の項目ごとにパラメータ（条件）が設定されている。図５に示す画像形成条件は、コピー処理（コピー機能の処理）に係る画像形成条件を示している。
【００３１】
図５に示すコピー機能の画像形成条件は、「読み取りカラーモード」、「読み取りサイズ」、「印刷カラーモード」、「トレイ指定」、「用紙サイズ」の項目で構成されている。
【００３２】
図５に示すコピー機能の画像形成条件情報のうち、「読み取りカラーモード」、及び「読み取りサイズ」の項目は、読み取り部２０に係る項目である。また、図５に示すコピー機能の画像形成条件情報のうち、「印刷カラーモード」は、画像形成部１０に係る項目である。図５に示すコピー機能の画像形成条件情報のうち、「トレイ指定」、及び「用紙サイズ」は、画像形成部１０への給紙に係る項目である。
【００３３】
「読み取りカラーモード」は、読み取り部２０で原稿を読取る際に「カラー」又は「モノクロ」のいずれのモードで読取るかを示す項目である。画像形成条件情報において、「読み取りカラーモード」の項目には「カラー」又は「モノクロ」のいずれかのパラメータが設定される。
【００３４】
「読み取りサイズ」は、読み取り部２０で原稿を読取る際の原稿のサイズを示す項目である。画像形成条件情報において、「読み取りサイズ」の項目には「Ａ３」、「Ａ４」、「Ａ５」等の読取る原稿のサイズがパラメータとして設定される。
【００３５】
「印刷カラーモード」は、画像形成部１０で印刷する際に「カラー」又は「モノクロ」のいずれのモードで印刷するかを示す項目である。画像形成条件情報において、「印刷カラーモード」の項目には「カラー」又は「モノクロ」のいずれかのパラメータが設定される。
【００３６】
「トレイ指定」は、画像形成部１０に給紙する用紙の供給元（給紙トレイ）について示す項目である。画像形成条件情報において、「トレイ指定」の項目には自動的に適切な給紙トレイを選択（例えば、用紙サイズに対応する用紙を収納している給紙トレイを選択）する設定を示すパラメータ（図５の例では「自動」）、又はいずれかの給紙トレイを明示的に指定するパラメータ（例えば、「トレイ１」、「トレイ２」、「トレイ３」等の値）が設定される。図５では、「トレイ指定」の項目には「自動」が設定されている。
【００３７】
なお、以下では、給紙トレイ１０１、１０３、１０５の識別子を、それぞれ「トレイ１」、「トレイ２」、「トレイ３」と表すものとする。
【００３８】
「用紙サイズ」は、画像形成部１０で印刷を行う際の用紙のサイズを示す項目である。画像形成条件情報において、「用紙サイズ」の項目には「Ａ３」、「Ａ４」、「Ａ５」等の読取る用紙のサイズ（サイズの名称）がパラメータとして設定される。
【００３９】
次に、給紙媒体情報記録部１４２で記録される給紙媒体情報の構成例について、図６を用いて説明する。
【００４０】
図６に示す給紙媒体情報は、画像形成部１０に給紙された用紙に係る項目ごとのパラメータが設定されている。
【００４１】
図６に示す給紙媒体情報は、「トレイ指定」、「用紙サイズ」、「給紙元トレイ」の項目で構成されている。
【００４２】
給紙媒体情報の「トレイ指定」の項目は、画像形成部１０に給紙された用紙の選択について示す項目である。給紙媒体情報の「トレイ指定」の項目は、画像形成条件情報の「トレイ指定」の項目に対応する項目である。すなわち、給紙媒体情報の「トレイ指定」の項目は、画像形成部１０に用紙が給紙された際の「トレイ指定」のパラメータ（画像形成条件情報の「トレイ指定」のパラメータ）が設定される。図６に示す給紙媒体情報において「トレイ指定」の項目は、図５と同様に「自動」に設定されている。
【００４３】
給紙媒体情報の「用紙サイズ」の項目は、画像形成部１０に給紙された用紙のサイズを示す項目である。
【００４４】
給紙媒体情報の「用紙サイズ」の項目は、画像形成部１０に給紙された用紙のサイズが設定される。図６に示す給紙媒体情報において「用紙サイズ」の項目は、図５と同様に「Ａ４」に設定されている。
【００４５】
「給紙元トレイ」の項目は、画像形成部１０に給紙された用紙の供給元の給紙トレイ（給紙トレイの識別子）を示す項目である。図６に示す給紙媒体情報において「給紙元トレイ」の項目は、「トレイ１」に設定されている。
【００４６】
次に、画像形成装置１において、画像形成部１０に先行給紙された用紙に係る処理について説明する。
【００４７】
画像形成制御部１００は、例えば、コピー処理を実行する際、先行給紙（画像形成部１０の印刷準備に先行して用紙を画像形成部１０に給紙）する制御を行う。そして、当該ジョブが何らかの要因（例えば、ユーザのキャンセル操作等）によりコピー処理が中断した場合、画像形成制御部１００は、先行給紙した用紙を排紙せずに保留する。そして、画像形成制御部１００は、コピー処理が再開されると、画像形成部１０に給紙されている用紙の情報（給紙媒体情報記録部１４２に記録された情報）と、今回のコピー処理で指定された画像形成条件情報とを比較する。
【００４８】
そして、画像形成制御部１００は、画像形成部１０に給紙されている用紙と、今回のコピー処理で指定された用紙とが一致する場合には、画像形成部１０に保留されたままとなっている用紙（前回のコピー処理で給紙された用紙）を再利用した画像形成処理（コピー処理）を実行する。言い換えると、画像形成制御部１００は、画像形成部１０に給紙されている用紙と、今回のコピー処理で指定された用紙とが一致する場合、画像形成部１０に保留されたままとなっている用紙（前回のコピー処理で先行給紙された用紙）を１ページ目とする画像形成処理（コピー処理）を行う。一方、画像形成部１０に給紙されている用紙と、今回のコピー処理で指定された用紙とが一致しない場合、画像形成部１０に保留されたままとなっている用紙を排紙させてから、今回のコピー処理で指定された用紙を給紙して画像形成処理（コピー処理）を行う。
【００４９】
画像形成制御部１００が、画像形成部１０に給紙されている用紙と、今回のコピー処理で指定された用紙とを比較する処理は限定されないものである。この実施形態の例では、画像形成制御部１００は、図７に示すような表（以下、「ルールテーブル」と呼ぶ）に従って、画像形成部１０に給紙されている用紙と、今回のコピー処理で指定された用紙とを比較する。
【００５０】
図７に示すルールテーブルは、画像形成制御部１００が行う判定処理のルールの例を図示したものである。図７では、画像形成条件情報の「トレイ指定」の内容に応じた２つのルール（第１のルールと第２のルール）が図示されている。
【００５１】
図７に示す第１のルールは、画像形成条件情報の「トレイ指定」が「自動」の場合に適用されるルールである。第１のルールが適用される場合、画像形成制御部１００は、画像形成条件情報と給紙媒体情報の「用紙サイズ」が一致するか否かを判定する。第１のルールが適用されると、画像形成制御部１００は、画像形成条件情報と給紙媒体情報の「用紙サイズ」が一致する場合に、画像形成部１０に給紙されている用紙と、今回のコピー処理で指定された用紙とが一致すると判定し、既に給紙されている用紙を再利用した画像形成処理を行う。
【００５２】
図７に示す第２のルールは、画像形成条件情報の「トレイ指定」がいずれかのトレイの場合（トレイ１〜トレイ３のいずれかの値が設定されている場合）の場合に適用されるルールである。第２のルールが適用される場合、画像形成制御部１００は、画像形成条件情報と給紙媒体情報の「トレイ指定」の値が一致するか否かを判定する。第２のルールが適用されると、画像形成制御部１００は、画像形成条件情報と給紙媒体情報の「トレイ指定」が一致する場合に、画像形成部１０に給紙されている用紙と、今回のコピー処理で指定された用紙とが一致すると判定し、既に給紙されている用紙を再利用した画像形成処理を行う。
【００５３】
（Ａ−２）第１の実施形態の動作
次に、以上のような構成を有する第１の実施形態の画像形成装置１の動作を説明する。
【００５４】
図８は、画像形成装置１において、コピーの処理が実行された場合の動作について示したフローチャートである。
【００５５】
まず、ユーザの操作（パネル部３０に対する操作）によりコピー機能が選択され、パネル制御部３００により表示される操作画面が、コピー処理の条件について選択を受付ける画面（以下、「コピー選択画面」とも呼ぶ）に遷移したものとする（Ｓ１００）。
【００５６】
コピー選択画面の詳細については図示を省略するが、例えば、図５に示すコピー機能の画像形成条件情報の各項目についてパラメータ、及びコピー処理の開始指示が入力可能な操作画面としてもよい。パネル制御部３００は、上述のコピー選択画面により、コピー機能の画像形成条件情報の各項目についてパラメータの入力（選択）を受付け、その内容をメイン制御部１３０に報告する。コピー選択画面では、初期状態では各パラメータについてデフォルト値が表示されており、ユーザの操作により各パラメータの設定変更を受付けることが可能となっているものとする。
【００５７】
そして、メイン制御部１３０は、コピー選択画面での設定変更の有無を確認する（Ｓ１０１）。メイン制御部１３０は、設定変更があった場合後述するステップＳ１０２から動作し、設定変更がなかった場合には後述するステップＳ１０３から動作する。
【００５８】
上述のステップＳ１０１で、設定変更があったと判断された場合、メイン制御部１３０は、当該設定変更を受付ける処理（設定変更後のパラメータの保持等）を行う（Ｓ１０２）。そして、メイン制御部１３０は、上述のステップＳ１０１から動作する。
【００５９】
上述のステップＳ１０１で、設定変更がなかったと判定された場合、メイン制御部１３０は、コピー処理の終了の有無をチェックする（Ｓ１０３）。メイン制御部１３０がコピーの終了有無を判定する処理については限定されないものである。メイン制御部１３０は、例えば、操作のタイムアウト（例えば、所定時間以上無操作の状態が継続した場合）や、ユーザの操作によりログアウトが発生した場合や、ユーザの操作により他の機能の画面に遷移した場合等にコピー終了が発生したと認識するようにしてもよい。そして、メイン制御部１３０は、コピー処理の終了があったと確認した場合後述するステップＳ１０４から動作し、コピー処理の終了がなかったと確認した場合後述するステップＳ１０５から動作する。
【００６０】
コピー処理の終了があったと確認した場合、メイン制御部１３０は、画像形成制御部１００に画像形成処理を中止（画像形成をキャンセル）するように指示（Ｓ１０４）して処理を終了する。画像形成制御部１００が行う画像形成処理のキャンセル処理の詳細については後述する。
【００６１】
コピー処理の終了がなかったと確認した場合、メイン制御部１３０は、コピー開始指示の有無をチェックし（Ｓ１０５）、コピー開始指示があった場合には後述するステップＳ１０６から動作し、コピー開始指示がなかった場合には上述のステップＳ１０１に戻って動作する。メイン制御部１３０がコピー開始指示の有無をチェックする処理については限定されないものである。メイン制御部１３０は、例えば、タッチパネルディスプレイ３０１の操作画面（上述のコピー選択画面）上のソフトキーや、ハードキー部３０２を構成する所定のキー（例えば、コピー等の実行を指示するためのキー）の押下によりコピー開始指示を受け付けるようにしてもよい。
【００６２】
コピー開始指示があった場合、メイン制御部１３０は、パネル制御部３００から供給されたパラメータ（コピー選択画面で設定された各項目のパラメータ）に基づいて画像形成条件情報を生成して、画像形成条件記録部１３１に記録する（Ｓ１０６）。
【００６３】
次に、メイン制御部１３０は、生成した画像形成条件情報（画像形成条件記録部１３１に格納された画像形成条件情報）に従って読み取り制御部２００に読み取り開始を指示（Ｓ１０７）する。
【００６４】
また、メイン制御部１３０は、画像形成制御部１００に、画像形成条件情報にしたがって選択された給紙トレイからの給紙開始（先行給紙）を指示（Ｓ１０８）する。このとき、画像形成制御部１００が行う給紙開始（先行給紙）の動作について後述する。
【００６５】
そして、その後、メイン制御部１３０は、コピー処理の中断のイベント有無をチェックする（Ｓ１０９）。メイン制御部１３０がコピー処理の中断のイベント有無をチェックする処理については限定されないものである。メイン制御部１３０は、例えば、読み取り部２０の読み込みエラー（例えば、原稿のジャム等による読み込みエラー）や、ユーザによるパネル制御部３００の操作に基づいて、コピー処理の中断のイベント有無を判断するようにしてもよい。
【００６６】
上述のステップＳ１０９で、コピー中断のイベントが発生していないと判定された場合、メイン制御部１３０は、読み取り制御部２００の読み取り動作が完了したか否か（ＡＤＦ２０８にセットされたすべての原稿の読み取りが完了したか否か）を確認する（Ｓ１１１）。メイン制御部１３０は、読み取り制御部２００の読み取り動作が完了したと確認された場合、後述するステップＳ１１２から動作し、読み取り制御部２００の読み取り動作が完了していない場合は上述のステップＳ１０９に戻って動作する。
【００６７】
上述のステップＳ１０９で、コピー中断のイベントが発生していると判断された場合、メイン制御部１３０は、読み取り制御部２００を制御して、原稿の読み取りをキャンセル（中止）させ（Ｓ１１０）、上述のステップＳ１００に戻って動作する。
【００６８】
上述のステップＳ１１１で、読み取り制御部２００の読み取り動作が完了したと判断された場合、メイン制御部１３０は、画像データ記録部２０５の画像形成条件情報にしたがって画像形成するように、画像形成制御部１００へ指示する（Ｓ１１２）。以後の画像形成制御部１００による画像形成の処理の詳細については後述する。
【００６９】
次に、上述のステップＳ１０８において、画像形成制御部１００の媒体給紙処理部１４０が行う給紙処理の詳細について図９を用いて説明する。
【００７０】
媒体給紙処理部１４０は、メイン制御部１３０から用紙供給処理の指示を受けると、画像形成部１０に用紙が給紙された状態（画像形成部１０内の搬送路上に用紙が保留されている状態）となっているか否かを確認する（Ｓ１２１）。媒体給紙処理部１４０は、画像形成部１０に用紙が給紙されていない状態であった場合後述するステップＳ１２２から動作し、画像形成部１０に用紙が給紙されている状態であった場合給紙処理を終了する。
【００７１】
画像形成部１０に用紙が給紙されていない状態であった場合、媒体給紙処理部１４０は、画像形成条件記録部１３１に記録された画像形成条件情報にしたがって、用紙の供給元となる給紙トレイを決定する（Ｓ１２２）。媒体給紙処理部１４０は、画像形成条件情報の「トレイ指定情報」の項目を確認し、「トレイ指定情報」の項目に「自動」が設定されていた場合、画像形成条件情報の「用紙サイズ」の項目に対応する用紙を収納している給紙トレイを抽出して当該給紙トレイを用紙の供給元となる給紙トレイとして決定する。このとき、媒体給紙処理部１４０は、給紙トレイ１０１、１０３、１０５の順序で用紙サイズをチェックし、最初に該当した給紙トレイを、用紙の供給元となる給紙トレイとして決定するようにしてもよい。一方、「トレイ指定情報」の項目にいずれかの給紙トレイが明示的に設定されている場合（トレイ１、トレイ２、トレイ３のいずれかの値が設定されている場合）、媒体給紙処理部１４０は、当該給紙トレイを用紙の供給元の給紙トレイとして決定する。
【００７２】
次に、媒体給紙処理部１４０は、決定された給紙トレイから、画像形成部１０内部に用紙を給紙させる制御をおこなう（Ｓ１２３）。具体的には、媒体給紙処理部１４０は、決定された給紙トレイから用紙を給紙するため、給紙モータ１４１を駆動して当該給紙トレイから用紙を繰り出させる。そして、媒体給紙処理部１４０は、繰り出させた用紙が、給紙センサ１２０の位置を通過した後所定距離移動したタイミングで、給紙モータ１４１停止させて用紙搬送を停止させる。
【００７３】
次に、媒体給紙処理部１４０は、ステップＳ１２３で給紙した用紙に対応する給紙媒体情報を生成して、給紙媒体情報記録部１４２に記録し（Ｓ１２４）、給紙処理を終了する。
【００７４】
次に、上述のステップＳ１０４において、画像形成制御部１００が行う画像形成処理のキャンセル処理の詳細について図１０を用いて説明する。
【００７５】
画像形成制御部１００の画像形成処理部１５０は、メイン制御部１３０から画像形成処理のキャンセル処理の指示を受けると、画像形成部１０に用紙が給紙された状態（画像形成部１０内の搬送路上に用紙が保留されている状態）となっているか否かを媒体給紙処理部１４０に問い合わせする（Ｓ１３１）。画像形成処理部１５０は、媒体給紙処理部１４０から画像形成部１０に用紙が給紙された状態であると返答があった場合、後述するステップＳ１３２から動作し、媒体給紙処理部１４０から画像形成部１０に用紙が給紙されていない状態であると返答があった場合、後述するステップＳ１３３から動作する。
【００７６】
媒体給紙処理部１４０から画像形成部１０に用紙が給紙された状態であると返答があった場合、画像形成処理部１５０は、搬送モータ１５１を駆動した後、媒体給紙処理部１４０に対して給紙済みの用紙を下流方向に搬送するよう指示して用紙を排出（排出トレイ１１２まで搬送）させるように制御する。そして、画像形成処理部１５０は、用紙が排出トレイ１１２に完全に排出されたか否かを排出センサ１２２により監視し、用紙が完全に排出されたと判断した後、排出動作を停止させる制御をおこなう（Ｓ１３２）。このとき、画像形成処理部１５０は、画像転写部１０８には画像転写なしで動作させる。
【００７７】
次に、画像形成処理部１５０は、媒体給紙処理部１４０に対して給紙媒体情報をクリア（削除）するように制御し（Ｓ１３３）し、画像形成処理のキャンセル処理を終了する。
【００７８】
次に、画像形成制御部１００の画像形成処理動作について図１１を用いて説明する。
【００７９】
画像形成制御部１００の画像形成処理部１５０は、メイン制御部１３０から画像形成開始の指示を受けると、画像形成条件記録部１３１の画像形成条件情報を確認する（Ｓ１４１）。
【００８０】
次に、画像形成処理部１５０は、画像形成条件情報に対応する用紙（画像形成条件情報に基づいて定まる給紙トレイの用紙）が、給紙済であるか否か（給紙済の用紙に画像形成を行うことが適切であるか否か）を媒体給紙処理部１４０に問い合わせる（Ｓ１４２）。媒体給紙処理部１４０が、画像形成条件情報に対応する用紙を決定する手順は、上述のステップＳ１２２と同様の処理であるため詳しい説明を省略する。そして、媒体給紙処理部１４０は、画像形成条件情報に対応する用紙の供給元の給紙トレイが、給紙媒体情報記録部１４２に記録された給紙媒体情報の給紙元トレイと一致する場合には、該当する用紙が給紙済である旨を画像形成処理部１５０に返答する。また、媒体給紙処理部１４０は、画像形成条件情報に対応する用紙の供給元の給紙トレイが、給紙媒体情報記録部１４２に記録された給紙媒体情報の給紙元トレイと一致しない場合、又は画像形成部１０に用紙が給紙されていない状態（給紙媒体情報記録部１４２がクリアされた状態）の場合には、該当する用紙が給紙済でない旨を画像形成処理部１５０に返答する。そして、画像形成処理部１５０は、媒体給紙処理部１４０から該当する用紙が給紙済である旨（給紙済の用紙に画像形成を行うことが適切である旨）の返答があった場合、後述するステップＳ１４５から動作し、該当する用紙が給紙済でない旨（給紙済の用紙に画像形成を行うことが不適切である旨）の返答があった場合には後述するステップＳ１４３から動作する。
【００８１】
画像形成処理部１５０は、媒体給紙処理部１４０から該当する用紙が給紙済でない旨の返答があった場合、画像形成部１０に給紙済の用紙を排出させ（Ｓ１４３）、その後媒体給紙処理部１４０を制御して画像形成条件情報に対応する用紙の給紙開始を指示する（Ｓ１４４）。このとき、媒体給紙処理部１４０が行う給紙処理の動作は、上述の図９と同様の処理であるため詳しい説明を省略する。
【００８２】
次に、画像形成処理部１５０は、画像形成部１０を制御して画像形成処理を実行する（Ｓ１４５）。このとき、画像形成処理部１５０は、すべてのページ（読み取り部２０が読み取ったすべての原稿に対応する画像）の画像形成が完了するまで、媒体給紙処理部１４０に給紙媒体情報記録部１４２の給紙媒体情報に従った用紙の給紙処理を繰り返し実行させる。
【００８３】
画像形成処理部１５０は、すべてのページについての画像形成処理を終了すると、媒体給紙処理部１４０を制御して、給紙媒体情報記録部１４２に給紙情報をクリアさせ（Ｓ１４６）、画像形成処理を終了する。
【００８４】
（Ａ−３）第１の実施形態の効果
第１の実施形態によれば、以下のような効果を奏することができる。
【００８５】
第１の実施形態の画像形成装置１では、コピー処理の際に、ユーザによるキャンセルや読み取りエラーがあった場合、次のコピー実行（次の画像形成処理）において、給紙済みの用紙（画像形成部１０に給紙されている用紙）と、今回のコピー処理で指定された用紙（画像形成条件情報で指定された用紙）とが一致する場合、今回のコピー処理に先行給紙した用紙を再利用できるので、無駄な用紙の出力（いわゆる白紙の出力）を防ぐことができる。
【００８６】
また、第１の実施形態の画像形成装置１では、図７に示すように、「トレイ指定」の項目が「自動」の場合と、いずれかの給紙トレイが指定された場合とで、それぞれ適切なルールを適用して給紙済みの用紙と今回のコピー処理で指定された用紙との比較を行っている。これにより、第１の実施形態の画像形成装置１では、給紙トレイの選択方式が変わっても、給紙済みの用紙と今回のコピー処理で指定された用紙との比較を行うことができる。
【００８７】
（Ｂ）第２の実施形態
以下、本発明による画像形成装置の第２の実施形態を、図面を参照しながら詳述する。
【００８８】
（Ｂ−１）第２の実施形態の構成
図１２は、第２の実施形態に関係する各装置の接続関係について示したブロック図である。
【００８９】
図１２に示すように、第２の実施形態の画像形成装置１には、プリンタ機能のクライアント（上位ホスト）としてＰＣ２が接続されている。画像形成装置１とＰＣ２の間の接続構成については限定されないものであるが、例えばＬＡＮ等のネットワークや種々のケーブル（例えば、ＵＳＢケーブル等）で接続することができる。また、ＰＣ２の構成についても限定されないものであり、例えば、種々のＯＳ（Ｏｐｅｒａｔｉｎｇ  Ｓｙｓｔｅｍ）及びプリンタドライバ等がインストールされたＰＣを適用することができる。
【００９０】
第２の実施形態の画像形成装置１自体の構成については、第１の実施形態と同様に図１〜図４を用いて示すことができる。以下では第２の実施形態について第１の実施形態との差異を中心に説明する。
【００９１】
図１３は、第２の実施形態の画像形成条件記録部１３１に格納されるプリント処理プリント機能の処理）に対応する画像形成条件情報の構成例について示した説明図である。第１の実施形態でも説明したように、画像形成条件記録部１３１には当該画像形成装置１の機能（画像形成処理を伴う機能）ごとに対応する構成の画像形成条件情報が記録される。
【００９２】
図１３に示すプリント機能に対応する画像形成条件情報は、「印刷カラーモード」、「トレイ指定」、「用紙サイズ」の項目で構成されている。なお、プリント機能では原稿の読み込みの工程がないため、図１３に示すプリント機能に対応する画像形成条件情報では、「読み取りカラーモード」、「読み取りサイズ」の項目につては無効（パラメータ無し）に設定されている。なお、図１３に示すプリント機能に対応する画像形成条件情報の「印刷カラーモード」、「トレイ指定」、「用紙サイズ」については、コピー機能の場合（上述の図５）と同様の内容を示すため詳しい説明については省略する。
【００９３】
第２の実施形態では、コピー処理の実行時のメイン制御部１３０の処理が異なっている。
【００９４】
第１の実施形態のメイン制御部１３０は、コピー処理等で画像形成処理中に、先行給紙した用紙（未だに画像が転写されていない用紙）が画像形成部１０に残っている状態（給紙済の状態）で、コピー処理の終了が行われた場合（例えば、コピー処理で原稿読み取り中にコピー処理のキャンセルがあった場合）には、その給紙済の用紙を排出する処理（例えば、上述の図８のフローチャートのステップＳ１０４の処理）を行っていた。
【００９５】
これに対して、第２の実施形態のメイン制御部１３０は、先行給紙した用紙が画像形成部１０に残っている状態で、実行中の処理の終了（例えば、コピー処理の終了）が発生した場合には、その時点で給紙済の用紙を排出させない。そして、第２の実施形態のメイン制御部１３０は、その次の画像形成処理（例えば、コピー処理やプリント処理）を行う際に、給紙済みの用紙が利用可能（適切な用紙）であれば当該用紙を利用した画像形成処理を行い、給紙済の用紙が利用できない（不適切な用紙）であれば当該用紙を排出してから適切な用紙を給紙してから画像形成処理を行う。
【００９６】
（Ｂ−２）第２の実施形態の動作
次に、以上のような構成を有する第２の実施形態の画像形成装置１の動作を説明する。
【００９７】
図１４は、画像形成装置１において、コピーの処理が実行された場合の動作について示したフローチャートである。図１４では、第１の実施形態のフローチャート（上述の図８のフローチャート）と同様の処理（ステップ）については、同一のステップ番号（符号）を付している。
【００９８】
図１４に示すフローチャートでは、上述の図８と比較してステップＳ１０４の処理（画像形成をキャンセルする処理）が省略された内容となっている。図１４のフローチャートはそれ以外の点については上述の図８と同様であるため詳しい説明を省略する。
【００９９】
以上のように、第２の実施形態のメイン制御部１３０は、コピー処理等で画像形成処理中に、先行給紙した用紙が画像形成部１０に残っている状態で、処理のキャンセルが行われた場合には、その時点で給紙済の用紙を排出させない。
【０１００】
次に、第２の実施形態の画像形成装置１においてプリント処理が行われる際の動作について図１５のフローチャートを用いて説明する。
【０１０１】
メイン制御部１３０は、ＰＣ２から通信によりプリント処理の依頼（画像形成処理の依頼；印刷ジョブ）を受信すると、ＰＣ２から受信したデータに基づく画像の画像形成データ（画像形成部１０で画像形成処理に適用可能な画像データ）の生成処理を画像形成処理部１５０に実行させる（Ｓ２２０）。
【０１０２】
次に、メイン制御部１３０は、ＰＣ２から受信したデータに従った画像形成条件情報を生成して、画像形成条件記録部１３１に記録する（Ｓ２２１）。
【０１０３】
次に、メイン制御部１３０は、媒体給紙処理部１４０に、給紙開始（先行給紙の開始）を実行させる（Ｓ２２２）。この時の、媒体給紙処理部１４０による給紙開始（先行給紙の開始）の動作については上述の図９を用いて説明することができるため詳しい説明は省略する。
【０１０４】
次に、メイン制御部１３０は、画像データ記録部２０５の画像形成条件情報にしたがって画像形成するように、画像形成制御部１００（画像形成処理部１５０）へ指示する（Ｓ２２３）。その後の画像形成制御部１００の動作については、上述の図１１とほぼ同様の処理となるため詳しい説明は省略する。なお、この場合、画像形成処理部１５０で用いられる画像形成条件情報は、図１３に示す形式の情報（プリント機能に対応する画像形成条件情報）となる。
【０１０５】
以上のように第２の実施形態のメイン制御部１３０は、コピー処理で、先行給紙した用紙が画像形成部１０に残っている状態で、処理のキャンセルが行われた場合（例えば、ステップＳ１０３で、コピー処理の終了が判断された場合）には、その時点で給紙済の用紙を排出させずに処理を終了する。そして、その後、メイン制御部１３０は、上述の図９にしたがって給紙処理を行うことで、次に行われる印刷（例えば、コピー処理やプリント処理）において、給紙済みの用紙が利用可能（適切な用紙）であれば当該用紙を利用した画像形成処理を行うことができる。
【０１０６】
（Ｂ−３）第２の実施形態の効果
第２の実施形態によれば、第１の実施形態と比較して以下のような効果を奏することができる。
【０１０７】
第２の実施形態の画像形成装置１では、コピー処理が終了する際に先行給紙された用紙を排紙しないので、コピー処理の終了後に、次の画像形成処理（例えば、プリント処理やコピー処理等の画像形成処理）が行われる場合でも、第１の実施形態と同様に先行給紙した用紙を再利用し、無駄な白紙媒体の出力を防ぐことができる。
【０１０８】
（Ｃ）他の実施形態
本発明は、上記の各実施形態に限定されるものではなく、以下に例示するような変形実施形態も挙げることができる。
【０１０９】
（Ｃ−１）上記の各実施形態では本発明の画像形成装置を複合機に適用する例について説明したが、本発明の画像形成装置はその他の種類の画像形成装置（例えば、コピー機等）に適用するようにしてもよい。
【符号の説明】
【０１１０】
１…画像形成装置、１０…画像形成部、２０…読み取り部、３０…パネル部、１００…画像形成制御部、１０１、１０３、１０５…給紙トレイ、１０２、１０４、１０６…給紙ローラ、１０７…レジストローラ、１０８…画像転写部、１０９…定着器、１１０…排出ローラ、１１１…排出ローラ、１１２…排出トレイ、１２０…給紙センサ、１２１…書込みセンサ、１２２…排出センサ、１３０…メイン制御部、１３１…画像形成条件記録部、１４０…媒体給紙処理部、１４１…給紙モータ、１４２…給紙媒体情報記録部、１５０…画像形成処理部、１５１…搬送モータ、２００…読み取り制御部、２０３…読み取りセンサ、２０４…読み取りモータ、２０５…画像データ記録部、２０６…トップカバー、２０７…コンタクトガラス、２０８…ＡＤＦ、３００…パネル制御部、３０１…タッチパネルディスプレイ、３０２…ハードキー部。
【図１】
2017032659.tif 000003
【図２】
2017032659.tif 000004
【図３】
2017032659.tif 000005
【図４】
2017032659.tif 000006
【図５】
2017032659.tif 000007
【図６】
2017032659.tif 000008
【図７】
2017032659.tif 000009
【図８】
2017032659.tif 000010
【図９】
2017032659.tif 000011
【図１０】
2017032659.tif 000012
【図１１】
2017032659.tif 000013
【図１２】
2017032659.tif 000014
【図１３】
2017032659.tif 000015
【図１４】
2017032659.tif 000016
【図１５】
2017032659.tif 000017